(57)【要約】【課題】患者の検査データを自動的に配置して表示すると共に、患者に関する所見等の情報を合わせて表示する電子カルテを作成する電子カルテプログラムを提供する。【解決手段】コンピュータを、患者の検査データを格納するデータベース２２より患者の検査データを取得する検査データ取得手段３２と、電子カルテの表示領域に表示可能な所定の大きさに当該検査データを検査項目毎に画像化して検査データ画像を作成する検査データ画像化手段３３と、検査データ画像を配置するための位置情報を管理すると共に、位置情報に基づいて検査データ画像を所定の位置に配置して検査データ一覧画像を作成する検査データ画像配置手段３４と、手書き画像データを取得する手書き画像データ入力手段３５と、検査データ一覧画像と手書き画像データとを重ね合わせて作成する電子カルテを表示する表示手段３６として機能させる。【選択図】図１
2007213555.tif 000002
【特許請求の範囲】
【請求項１】
コンピュータを、
複数の検査項目に分類された患者の検査データを格納するデータベースより電子カルテを作成する対象の患者の検査データを取得する検査データ取得手段と、
前記コンピュータの表示装置の電子カルテの表示領域に表示可能な所定の大きさに当該検査データを前記複数の検査項目毎に画像化して検査データ画像を作成する検査データ画像化手段と、
前記表示装置の前記電子カルテの表示領域に前記検査データ画像を配置するための位置情報を管理すると共に、前記位置情報に基づいて前記検査データ画像を所定の位置に配置して検査データ一覧画像を作成する検査データ画像配置手段と、
前記コンピュータの入力装置を介して手書き画像データを取得する手書き画像データ入力手段と、
前記検査データ一覧画像と前記手書き画像データとを重ね合わせて作成する電子カルテを前記表示装置に表示する表示手段
として機能させることを特徴とする電子カルテ作成プログラム。
【請求項２】
請求項１の電子カルテ作成プログラムにおいて、
前記位置情報とは、電子カルテの表示領域を格子状に区分した矩形領域に、前記検査データ画像又は前記手書き画像データが配置されているか否かを表すフラグであり、
前記所定の位置とは、他の検査データ画像又は前記手書き画像データが配置されていない空の矩形領域であり、
前記検査データ画像配置手段は、前記フラグが立っているか否かを判断することで、少なくとも１つの空の矩形領域を選出し、当該空の矩形領域に前記検査データ画像を配置して検査データ一覧画像を作成することを特徴とする電子カルテ作成プログラム。
【請求項３】
請求項１又は２の電子カルテ作成プログラムにおいて、
前記データベースは、新たな検査データが前記データベースに追加されたことを表す更新フラグを格納すると共に、検査データ一覧画像及び手書き画像データを患者に関連付けて格納し、
前記検査データ取得手段は、前記更新フラグが立っているか否かを判断して前記検査データを取得し、
前記検査データ画像配置手段は、前記検査データ画像化手段により画像化された前記検査データ画像を所定の位置に配置して作成した検査データ一覧画像を患者に関連付けて前記データベースに保存し、
前記表示手段は、前記データベースに保存された検査データ一覧画像と手書き画像データとを取得して、当該検査データ一覧画像と手書き画像データとを重ね合わせて作成する電子カルテを前記表示装置に表示することを特徴とする電子カルテ作成プログラム。
【請求項４】
請求項１〜３の何れかの電子カルテ作成プログラムにおいて、
前記表示手段は、前記検査データ一覧画像を下絵として前記表示装置に表示すると共に、前記手書き画像データを取得することを特徴とする電子カルテ作成プログラム。
【請求項５】
請求項１〜４の電子カルテ作成プログラムにおいて、
前記表示手段は、前記検査データ画像が前記手書き画像データに優先して表示されるよう所定の画像処理を行うことを特徴とする電子カルテ作成プログラム。
【請求項６】
請求項１〜５の何れかの電子カルテ作成プログラムにおいて、
前記検査データ画像化手段は、電子カルテを作成する対象の患者の検査データを前記データベースより取得し、当該検査データに所定の書式を適用して、前記表示装置に表示可能な所定の大きさに当該検査データを前記複数の検査項目毎に画像化して検査データ画像を作成することを特徴とする電子カルテ作成プログラム。
【請求項７】
請求項１〜６の何れかの電子カルテ作成プログラムにおいて、
前記手書き画像データ入力手段は、前記手書き画像データを描画する色として指定された色情報を構成するビット列の一部を、前記手書き画像データを入力した者を識別する記入者識別子を構成するビット列に置き換えることで描画色情報を算出し、
前記表示手段は、前記描画色情報で手書き画像データを前記表示装置に表示すると共に、前記描画色情報に含まれる記入者識別子により識別される記入者に関する記入者情報を前記表示装置に表示することを特徴とする電子カルテ作成プログラム。
【請求項８】
複数の検査項目に分類された患者の検査データをデータベースに格納するための検査データ入力端末と、前記データベースより取得した前記検査データに基づいて電子カルテを作成する電子カルテ作成コンピュータとからなり、検査員により前記データベースに格納された前記検査データに基づいた電子カルテを医師が参照する際に用いる電子カルテ作成システムであって、
前記電子カルテ作成コンピュータは、
前記データベースより電子カルテを作成する対象の患者の検査データを取得する検査データ取得手段と、
前記電子カルテ作成コンピュータの表示装置の電子カルテの表示領域に表示可能な所定の大きさに当該検査データを前記複数の検査項目毎に画像化して検査データ画像を作成する検査データ画像化手段と、
前記表示装置の前記電子カルテの表示領域に前記検査データ画像を配置するための位置情報を管理すると共に、前記位置情報に基づいて前記検査データ画像を所定の位置に配置して検査データ一覧画像を作成する検査データ画像配置手段と、
前記電子カルテ作成コンピュータの入力装置を介して手書き画像データを取得する手書き画像データ入力手段と、
前記検査データ一覧画像と前記手書き画像データとを重ね合わせて作成する電子カルテを前記表示装置に表示する表示手段とを備えたことを特徴とする電子カルテ作成システム。
【請求項９】
請求項８の電子カルテ作成システムにおいて、
前記位置情報とは、電子カルテの表示領域を格子状に区分した矩形領域に、前記検査データ画像又は前記手書き画像データが配置されているか否かを表すフラグであり、
前記所定の位置とは、他の検査データ画像又は前記手書き画像データが配置されていない空の矩形領域であり、
前記検査データ画像配置手段は、前記フラグが立っているか否かを判断することで、少なくとも１つの空の矩形領域を選出し、当該空の矩形領域に前記検査データ画像を配置して検査データ一覧画像を作成することを特徴とする電子カルテ作成システム。
【請求項１０】
請求項８又は９の電子カルテ作成システムにおいて、
前記データベースは、新たな検査データが前記データベースに追加されたことを表す更新フラグを格納すると共に、検査データ一覧画像及び手書き画像データを患者に関連付けて格納し、
前記検査データ取得手段は、前記更新フラグが立っているか否かを判断して前記検査データを取得し、
前記検査データ画像配置手段は、前記検査データ画像化手段により画像化された前記検査データ画像を所定の位置に配置して作成した検査データ一覧画像を患者に関連付けて前記データベースに保存し、
前記表示手段は、前記データベースに保存された検査データ一覧画像と手書き画像データとを取得して、当該検査データ一覧画像と手書き画像データとを重ね合わせて作成する電子カルテを前記表示装置に表示することを特徴とする電子カルテ作成システム。
【請求項１１】
請求項８〜１０の何れかの電子カルテ作成システムにおいて、
前記表示手段は、前記検査データ一覧画像を下絵として前記表示装置に表示すると共に、前記手書き画像データを取得することを特徴とする電子カルテ作成システム。
【請求項１２】
請求項８〜１１の電子カルテ作成システムにおいて、
前記表示手段は、前記検査データ画像が前記手書き画像データに優先して表示されるよう所定の画像処理を行うことを特徴とする電子カルテ作成システム。
【請求項１３】
請求項８〜１２の何れかの電子カルテ作成システムにおいて、
前記検査データ画像化手段は、電子カルテを作成する対象の患者の検査データを前記データベースより取得し、当該検査データに所定の書式を適用して、前記表示装置に表示可能な所定の大きさに当該検査データを前記複数の検査項目毎に画像化して検査データ画像を作成することを特徴とする電子カルテ作成システム。
【請求項１４】
請求項８〜１３の何れかの電子カルテ作成システムにおいて、
前記検査データを入力するための入力フォームを前記検査データ入力端末に提示するウェブサーバを更に具備し、
前記ウェブサーバは、前記入力フォームを介して取得した前記検査データを前記データベースに格納する検査データ入力手段を備えることを特徴とする電子カルテ作成システム。
【請求項１５】
請求項８〜１４の何れかの電子カルテ作成システムにおいて、
前記手書き画像データ入力手段は、前記手書き画像データを描画する色として指定された色情報を構成するビット列の一部を、前記手書き画像データを入力した者を識別する記入者識別子を構成するビット列に置き換えることで描画色情報を算出し、
前記表示手段は、前記描画色情報で手書き画像データを前記表示装置に表示すると共に、前記描画色情報に含まれる記入者識別子により識別される記入者に関する記入者情報を前記表示装置に表示することを特徴とする電子カルテ作成システム。
【発明の詳細な説明】
【技術分野】
【０００１】
本発明は、電子カルテ作成プログラム及び電子カルテ作成システムに関し、特に、複数の検査データを含む電子カルテを表示する場合に適用して有用なものである。
【背景技術】
【０００２】
近年、医療機関においても情報化が進んでおり、情報通信機器等を導入して、業務の効率化を図っている。このような情報化の流れの中で、患者のカルテ（診察記録）に関しても電子化して管理することが行われている。
【０００３】
従来、医師は、検査機器を用いて測定した患者についての各種測定値や、患者を診察した際の所見や患者の疾患のある部位を表すシェーマ（人体の部位を表す図形）などを手書きにより紙のカルテに記載して、患者の診察記録を表現している。したがって、カルテを電子化する際には、これらの情報が表現可能な機能を備えていることが必要とされており、このような機能を有する電子カルテ作成プログラム等の技術が提案されている（特許文献１，２，３参照）。
【０００４】
しかしながら、これらの技術により作成される電子カルテの外観は、文字情報等がその種別に応じて分類されて表示されているために、従来の紙のカルテの外観とは異なっている。このため、特に、長年に亘って紙のカルテに慣れた医師にとっては、電子カルテに習熟するのに一定の時間を要するため、本来の医療業務に差し支える場合が生じている。
【０００５】
ところで、医療の特定の分野では、電子カルテに診察記録を入力するのは医師のみに限られない場合がある。例えば、眼科では分業化が進んでおり、各種検査機器を用いて、検査員が患者の視力等の各種検査データを測定し、眼科医がそれらの測定した結果を参照して診察を行っている。
【０００６】
したがって、このような分野において、従来の紙カルテの外観に類似した外観や操作感をもつ電子カルテを提供する場合、検査員、医師など複数人が患者の検査データ等を記録することとなるため、検査員は電子カルテのどの位置に検査データを記載するか、或いはどのような大きさで検査データを記載するかに配慮しなければならない。すなわち、検査員は検査データを電子カルテに記載する際には、他の検査員がどのように検査データを電子カルテに記載するかを考慮しなければならず、検査データの入力に煩わしさが伴うという問題がある。
【０００７】
さらに、検査員の自由に委ねて検査データを電子カルテに記載させると、医師にとっては、統一感に欠けた可読性の低い電子カルテを参照することとなり、診察を円滑に行えないという問題が生じる。
【０００８】
【特許文献１】特開２０００−３２５３１４号公報
【特許文献２】特開２００１−４３２８４号公報
【特許文献３】特開２００５−２５０５２６号公報
【発明の開示】
【発明が解決しようとする課題】
【０００９】
本発明は、かかる事情に鑑み、各種検査データを自動的に配置して表示すると共に、患者を診療した際の所見等の情報を合わせて表示する電子カルテを作成する電子カルテプログラム及び電子カルテ作成システムを提供することを目的とする。
【課題を解決するための手段】
【００１０】
上記目的を達成するための本発明の第１の態様は、
コンピュータを、
複数の検査項目に分類された患者の検査データを格納するデータベースより電子カルテを作成する対象の患者の検査データを取得する検査データ取得手段と、
前記コンピュータの表示装置の電子カルテの表示領域に表示可能な所定の大きさに当該検査データを前記複数の検査項目毎に画像化して検査データ画像を作成する検査データ画像化手段と、
前記表示装置の前記電子カルテの表示領域に前記検査データ画像を配置するための位置情報を管理すると共に、前記位置情報に基づいて前記検査データ画像を所定の位置に配置して検査データ一覧画像を作成する検査データ画像配置手段と、
前記コンピュータの入力装置を介して手書き画像データを取得する手書き画像データ入力手段と、
前記検査データ一覧画像と前記手書き画像データとを重ね合わせて作成する電子カルテを前記表示装置に表示する表示手段
として機能させることを特徴とする電子カルテ作成プログラムにある。
【００１１】
かかる第１の態様では、入力された検査データは画像化されて、表示装置の電子カルテの表示領域内に自動的に表示されるため、検査データの表示位置を考慮した入力処理が不要となり、検査データの入力手段の実装が容易となる。さらに、検査データは統一的に所定の位置に配置されるため、電子カルテの外観が一貫したものとなり、利用者にとっての利便性を向上することができる。
【００１２】
本発明の第２の態様は、第１の態様に記載する電子カルテ作成プログラムにおいて、
前記位置情報とは、電子カルテの表示領域を格子状に区分した矩形領域に、前記検査データ画像又は前記手書き画像データが配置されているか否かを表すフラグであり、
前記所定の位置とは、他の検査データ画像又は前記手書き画像データが配置されていない空の矩形領域であり、
前記検査データ画像配置手段は、前記フラグが立っているか否かを判断することで、少なくとも１つの空の矩形領域を選出し、当該空の矩形領域に前記検査データ画像を配置して検査データ一覧画像を作成することを特徴とする電子カルテ作成プログラムにある。
【００１３】
かかる第２の態様では、検査データ画像が電子カルテの表示領域に格子状に並べられて表示される。これにより、検査データ画像が整然と配列された電子カルテを表示することが可能となる。
【００１４】
本発明の第３の態様は、第１又は２の態様に記載する電子カルテ作成プログラムにおいて、
前記データベースは、新たな検査データが前記データベースに追加されたことを表す更新フラグを格納すると共に、検査データ一覧画像及び手書き画像データを患者に関連付けて格納し、
前記検査データ取得手段は、前記更新フラグが立っているか否かを判断して前記検査データを取得し、
前記検査データ画像配置手段は、前記検査データ画像化手段により画像化された前記検査データ画像を所定の位置に配置して作成した検査データ一覧画像を患者に関連付けて前記データベースに保存し、
前記表示手段は、前記データベースに保存された検査データ一覧画像と手書き画像データとを取得して、当該検査データ一覧画像と手書き画像データとを重ね合わせて作成する電子カルテを前記表示装置に表示することを特徴とする電子カルテ作成プログラムにある。
【００１５】
かかる第３の態様では、一度作成した検査データ一覧画像はデータベースに保存され、電子カルテを表示する際には、この検査データ一覧画像をデータベースより取得して表示装置に表示するため、検査データ一覧画像を作成するための画像化処理等が不要となり、コンピュータの処理負荷を軽減することが可能となる。
【００１６】
本発明の第４の態様は、第１〜３の何れかの態様に記載する電子カルテ作成プログラムにおいて、
前記表示手段は、前記検査データ一覧画像を下絵として前記表示装置に表示すると共に、前記手書き画像データを取得することを特徴とする電子カルテ作成プログラムにある。
【００１７】
かかる第４の態様では、検査データ一覧画像を下絵として、利用者による手書き画像データの入力が可能となるため、紙のカルテで行われているような所見等の追記という作業と同等のことが電子カルテ上においても直観的に行うことが可能となる。
【００１８】
本発明の第５の態様は、第１〜４の態様に記載する電子カルテ作成プログラムにおいて、
前記表示手段は、前記検査データ画像が前記手書き画像データに優先して表示されるよう所定の画像処理を行うことを特徴とする電子カルテ作成プログラムにある。
【００１９】
かかる第５の態様では、手書き画像データが検査データ画像に上書きされても、検査データ画像が視認できるよう表示される。
【００２０】
本発明の第６の態様は、第１〜５の何れかの態様に記載する電子カルテ作成プログラムにおいて、
前記検査データ画像化手段は、電子カルテを作成する対象の患者の検査データを前記データベースより取得し、当該検査データに所定の書式を適用して、前記表示装置に表示可能な所定の大きさに当該検査データを前記複数の検査項目毎に画像化して検査データ画像を作成することを特徴とする電子カルテ作成プログラムにある。
【００２１】
かかる第６の態様では、検査データが、検査データをカルテ上に記載する際の慣習的な表記に自動的に変換された上で、検査データ画像が作成される。
【００２２】
本発明の第７の態様は、第１〜６の何れかの態様に記載する電子カルテ作成プログラムにおいて、
前記手書き画像データ入力手段は、前記手書き画像データを描画する色として指定された色情報を構成するビット列の一部を、前記手書き画像データを入力した者を識別する記入者識別子を構成するビット列に置き換えることで描画色情報を算出し、
前記表示手段は、前記描画色情報で手書き画像データを前記表示装置に表示すると共に、前記描画色情報に含まれる記入者識別子により識別される記入者に関する記入者情報を前記表示装置に表示することを特徴とする電子カルテ作成プログラムにある。
【００２３】
かかる第７の態様では、手書き画像データと共にその記入者に関する記入者情報が表示される。これにより、手書き画像データを記入した者が誰であるのかが一目瞭然となる。このような記入者情報の表示は、一人の患者に関する電子カルテに対して複数の医者が検診した所見等を手書き画像データとして入力する場合に特に有用である。
【００２４】
本発明の第８の態様は、
複数の検査項目に分類された患者の検査データをデータベースに格納するための検査データ入力端末と、前記データベースより取得した前記検査データに基づいて電子カルテを作成する電子カルテ作成コンピュータとからなり、検査員により前記データベースに格納された前記検査データに基づいた電子カルテを医師が参照する際に用いる電子カルテ作成システムであって、
前記電子カルテ作成コンピュータは、
前記データベースより電子カルテを作成する対象の患者の検査データを取得する検査データ取得手段と、
前記電子カルテ作成コンピュータの表示装置の電子カルテの表示領域に表示可能な所定の大きさに当該検査データを前記複数の検査項目毎に画像化して検査データ画像を作成する検査データ画像化手段と、
前記表示装置の前記電子カルテの表示領域に前記検査データ画像を配置するための位置情報を管理すると共に、前記位置情報に基づいて前記検査データ画像を所定の位置に配置して検査データ一覧画像を作成する検査データ画像配置手段と、
前記電子カルテ作成コンピュータの入力装置を介して手書き画像データを取得する手書き画像データ入力手段と、
前記検査データ一覧画像と前記手書き画像データとを重ね合わせて作成する電子カルテを前記表示装置に表示する表示手段とを備えたことを特徴とする電子カルテ作成システムにある。
【００２５】
かかる第８の態様では、入力された検査データは画像化されて、表示装置の電子カルテの表示領域内に自動的に表示されるため、検査データの表示位置を考慮した入力処理が不要となり、検査データの入力手段の実装が容易となる。また、検査データは統一的に所定の位置に配置されるため、電子カルテの外観が一貫したものとなり、利用者にとっての利便性を向上することができる。
【００２６】
本発明の第９の態様は、第８の態様に記載する電子カルテ作成システムにおいて、
前記位置情報とは、電子カルテの表示領域を格子状に区分した矩形領域に、前記検査データ画像又は前記手書き画像データが配置されているか否かを表すフラグであり、
前記所定の位置とは、他の検査データ画像又は前記手書き画像データが配置されていない空の矩形領域であり、
前記検査データ画像配置手段は、前記フラグが立っているか否かを判断することで、少なくとも１つの空の矩形領域を選出し、当該空の矩形領域に前記検査データ画像を配置して検査データ一覧画像を作成することを特徴とする電子カルテ作成システムにある。
【００２７】
かかる第９の態様では、検査データ画像が電子カルテの表示領域に格子状に並べられて表示される。これにより、検査データ画像が整然と配列された電子カルテを表示することが可能となる。
【００２８】
本発明の第１０の態様は、第８又は９の態様に記載する電子カルテ作成システムにおいて、
前記データベースは、新たな検査データが前記データベースに追加されたことを表す更新フラグを格納すると共に、検査データ一覧画像及び手書き画像データを患者に関連付けて格納し、
前記検査データ取得手段は、前記更新フラグが立っているか否かを判断して前記検査データを取得し、
前記検査データ画像配置手段は、前記検査データ画像化手段により画像化された前記検査データ画像を所定の位置に配置して作成した検査データ一覧画像を患者に関連付けて前記データベースに保存し、
前記表示手段は、前記データベースに保存された検査データ一覧画像と手書き画像データとを取得して、当該検査データ一覧画像と手書き画像データとを重ね合わせて作成する電子カルテを前記表示装置に表示することを特徴とする電子カルテ作成システムにある。
【００２９】
かかる第１０の態様では、一度作成した検査データ一覧画像はデータベースに保存され、電子カルテを表示する際には、この検査データ一覧画像をデータベースより取得して表示装置に表示するため、検査データ一覧画像を作成するための画像化処理等が不要となり、コンピュータの処理負荷を軽減することが可能となる。
【００３０】
本発明の第１１の態様は、第８〜１０の何れかの態様に記載する電子カルテ作成システムにおいて、
前記表示手段は、前記検査データ一覧画像を下絵として前記表示装置に表示すると共に、前記手書き画像データを取得することを特徴とする電子カルテ作成システムにある。
【００３１】
かかる第１１の態様では、検査データ一覧画像を下絵として、利用者による手書き画像データの入力が可能となるため、紙のカルテで行われているような所見等の追記という作業と同等のことが電子カルテ上においても直観的に行うことが可能となる。
【００３２】
本発明の第１２の態様は、第８〜１１の何れかの態様に記載する電子カルテ作成システムにおいて、
前記表示手段は、前記検査データ画像が前記手書き画像データに優先して表示されるよう所定の画像処理を行うことを特徴とする電子カルテ作成システムにある。
【００３３】
かかる第１２の態様では、手書き画像データが検査データ画像に上書きされても、検査データ画像が視認できるよう表示される。
【００３４】
本発明の第１３の態様は、第８〜１２の何れかの態様に記載する電子カルテ作成システムにおいて、
前記検査データ画像化手段は、電子カルテを作成する対象の患者の検査データを前記データベースより取得し、当該検査データに所定の書式を適用して、前記表示装置に表示可能な所定の大きさに当該検査データを前記複数の検査項目毎に画像化して検査データ画像を作成することを特徴とする電子カルテ作成システムにある。
【００３５】
かかる第１３の態様では、検査データが、検査データをカルテ上に記載する際の慣習的な表記に自動的に変換された上で、検査データ画像が作成される。
【００３６】
本発明の第１４の態様は、第８〜１３の何れかの態様に記載する電子カルテ作成システムにおいて、
前記検査データを入力するための入力フォームを前記検査データ入力端末に提示するウェブサーバを更に具備し、
前記ウェブサーバは、前記入力フォームを介して取得した前記検査データを前記データベースに格納する検査データ入力手段を備えることを特徴とする電子カルテ作成システムにある。
【００３７】
かかる第１４の態様では、検査データ入力端末に一般的なウェブブラウザを導入することで、ウェブサーバの提示する入力フォームを介して、検査データをデータベースに格納することができるため、検査データ入力端末に検査データを入力するための専用のプログラムが不要となる効果を奏する。
【００３８】
本発明の第１５の態様は、第８〜１４の何れかの態様に記載する電子カルテ作成システムにおいて、
前記手書き画像データ入力手段は、前記手書き画像データを描画する色として指定された色情報を構成するビット列の一部を、前記手書き画像データを入力した者を識別する記入者識別子を構成するビット列に置き換えることで描画色情報を算出し、
前記表示手段は、前記描画色情報で手書き画像データを前記表示装置に表示すると共に、前記描画色情報に含まれる記入者識別子により識別される記入者に関する記入者情報を前記表示装置に表示することを特徴とする電子カルテ作成システムにある。
【００３９】
かかる第１５の態様では、手書き画像データと共にその記入者に関する記入者情報が表示される。これにより、手書き画像データを記入した者が誰であるのかが一目瞭然となる。このような記入者情報の表示は、一人の患者に関する電子カルテに対して複数の医者が検診した所見等を手書き画像データとして入力する場合に特に有用である。
【発明の効果】
【００４０】
本発明によれば、入力された検査データは画像化されて、所定の位置に自動的に配置されるため、電子カルテの外観は一貫したものとなり、利用者にとっての利便性の向上が図ることができる。また医師が、この画像化された検査データを参照しながら、患者を診療した際の所見等の情報を追加できるため、紙のカルテで行われているような所見等の追記という作業と同等のことが電子カルテ上においても直観的に行うことが可能となる。
【発明を実施するための最良の形態】
【００４１】
以下、本発明を実施するための最良の形態について説明する。なお、本実施形態の説明は例示であり、本発明は以下の説明に限定されない。
【００４２】
＜実施形態１＞
図１は、実施形態１に係る電子カルテ作成プログラムをインストールしたコンピュータを備える電子カルテ作成システムの機能ブロック図である。
【００４３】
本実施形態においては、眼科における電子カルテの作成過程を例示する。
【００４４】
電子カルテ作成システム１は、検査員２が患者を検査して取得した検査データをデータベース２２に入力するための検査データ入力端末２０と、検査員２の操作により取得した患者の検査データを直接的にデータベースに入力する検査機器２１と、眼科医３が用いる電子カルテ作成コンピュータ３０と、ウェブサーバ２３と、データベース２２とからなり、それぞれＬＡＮ２４を介して相互に通信可能に接続されている。また、電子カルテ作成コンピュータ３０には電子カルテ作成プログラム３１がインストールされている。
【００４５】
かかる構成を前提として、検査員２は、検査データ入力端末２０又は検査機器２１を用いて、患者の検査データをデータベース２２に格納すると共に、眼科医３は、電子カルテ作成コンピュータ３０を用いて、これらの検査データに基づいて作成される電子カルテを参照したり、患者を診察した際の所見等を電子カルテに追加したりする例を示す。
【００４６】
ここで、電子カルテ作成コンピュータ３０は、例えば、ＣＰＵ、ＲＯＭ、ハードディスク、ＲＡＭ、キーボードマウス等の入力装置及びディスプレイ等の出力装置（何れも図示せず。）を主なハードウェアとして具備すると共に、これらのハードウェアを機能させるオペレーティングシステム（ＯＳ）として、例えばマイクロソフト社製Ｗｉｎｄｏｗｓ（登録商標）を具備し、このＯＳ上で電子カルテ作成プログラム３１が実行される。なお、電子カルテ作成プログラム３１は、電子カルテ作成コンピュータ３０のＯＳ上で起動するものではなく、ＢＩＯＳ等を介して電子カルテ作成コンピュータ３０のハードウェア上で直接機能するものであってもよい。
【００４７】
また、検査データ入力端末２０は、例えば、ＣＰＵ、ＲＯＭ、ＲＡＭ、ペンタブレット等の入力装置及びディスプレイ等の出力装置（何れも図示せず。）を主なハードウェアとして具備するＰＤＡ端末であって、これらのハードウェアを機能させるオペレーティングシステム（ＯＳ）として、例えばマイクロソフト社製Ｗｉｎｄｏｗｓ（登録商標）Ｍｏｂｉｌｅ  ２００３  Ｓｅｃｏｎｄ  Ｅｄｉｔｉｏｎ  ｓｏｆｔｗａｒｅ  ｆｏｒ  Ｐｏｃｋｅｔ  ＰＣを具備し、このＯＳ上で患者の検査データをデータベース２２に格納するための所定の処理が行われる。
【００４８】
また、検査機器２１は、例えば眼圧を計測するための機器等である。この検査機器２１は、ＲＳ−２３２Ｃ等のインタフェースを介して検査機器２１を制御するための制御用コンピュータ（図示せず）と接続されている。この制御用コンピュータでは、このインタフェースを介して検査機器２１の検査データを取得する処理が行われると共に、検査データをデータベース２２に格納するための所定の処理が行われる。
【００４９】
また、ウェブサーバ２３は、検査データを入力するための検査データ入力フォームを前記検査データ入力端末２０に提示すると共に、この検査データ入力フォームを介して検査データを取得してデータベース２２に格納する検査データ入力手段を備えるサーバコンピュータである。
【００５０】
また、データベース２２は、ＲＤＢＭＳ（Ｒｅｌａｔｉｏｎａｌ  ＤａｔａＢａｓｅ  Ｍａｎａｇｅｍｅｎｔ  Ｓｙｓｔｅｍ）であり、ＯＤＢＣ（Ｏｐｅｎ  ＤａｔａＢａｓｅ  Ｃｏｎｎｅｃｔｉｖｉｔｙ）やＲＤＢＭＳ独自のデータベース接続用ドライバを介して、検査機器２１に接続された制御用コンピュータや電子カルテ作成コンピュータ３０とデータの入出力が可能に構成されている。
【００５１】
また、電子カルテ作成コンピュータ３０には、電子カルテ作成プログラム３１がインストールされており、データベース２２より電子カルテを作成する対象の患者の検査データを取得する検査データ取得手段３２と、取得した検査データを検査項目毎に画像化して検査データ画像を作成する検査データ画像化手段３３と、各検査データ画像を所定の位置に配置して検査データ一覧画像を作成する検査データ画像配置手段３４と、電子カルテ作成コンピュータ３０の入力装置を介して手書き画像データを取得する手書き画像データ入力手段３５と、検査データ一覧画像と手書き画像データとを重ね合わせて電子カルテ作成コンピュータ３０の表示装置に表示する表示手段３６とが具備されている。
【００５２】
検査データ取得手段３２は、電子カルテを作成する対象の患者の検査データをデータベース２２より取得するために用いられる。これにより、電子カルテを作成する対象の検査データが特定することができる。また、ＯＤＢＣ等のデータベース接続用ドライバを介してデータベース２２より検査データを取得する。ここで検査データとは、患者の視力や眼圧などの検査項目について検査した際の検査値をいう。
【００５３】
検査データ画像化手段３３は、検査データ取得手段３２により取得した患者の検査データを検査項目毎に画像化して検査データ画像を作成するために用いられる。これにより、ある患者の複数の検査項目に亘る検査データは検査項目毎の検査データ画像に変換されて、電子カルテ作成コンピュータ３０の表示装置の電子カルテの表示領域に表示可能なデータ形式となる。検査データ画像を画像化する処理については後述する。
【００５４】
検査データ画像配置手段３４は、検査データ画像を所定の位置に配置して、検査データ一覧画像を作成するために用いられる。これによって、検査項目毎に作成された検査データ画像が、電子カルテの表示領域に自動的に整列される。この結果、眼科医３は、患者の全検査項目についての検査データを一覧することが可能となる。この検査データ一覧画像を作成する処理については後述する。
【００５５】
手書き画像データ入力手段３５は、手書き画像データを入力するために用いられる。ここで、手書き画像データとは、マウス等の入力装置を用いて描かれた、電子カルテ作成コンピュータ３０の表示装置に表示可能な画像データをいう。これにより、眼科医３は診察の際の患者に対する所見やシェーマ等を表現することができる。この手書き画像データを入力する処理については後述する。
【００５６】
表示手段３６は、検査データ一覧画像と手書き画像データとを重ね合わせて電子カルテを作成し、電子カルテ作成コンピュータ３０の表示装置に表示するために用いられる。これにより、検査データと所見等を表す手書き画像データとが一体的に表示されるため、眼科医３にとって見慣れた従来の紙カルテの外観に類似した電子カルテを表示することができる。なお、手書き画像データが未入力の場合は、検査データ一覧画像のみを表示する。この重ね合せ処理については後述する。
【００５７】
上述のごとく構成される電子カルテ作成システム１において、電子カルテを作成する一連の処理について説明する。ここでは、患者を識別する患者ＩＤを「１０００」とし、この患者の検査データをデータベース２２に格納する一方、眼科医３がこの患者の電子カルテを参照し、所見等を入力する場合について説明する。なお診察をした日付は２００５年１２月０１日とする。
【００５８】
図２は、データベース２２に格納される各種データを例示する図である。この図を用いて、各種データの構造について説明する。
【００５９】
データベース２２は、検査データ、更新フラグ、電子カルテ管理データ及び表示位置管理データを格納している。
【００６０】
図２（ａ）には、検査項目の一つである視力検査に関する検査データである視力検査データ１００が例示されている。他の検査項目としては、眼圧、レフ、ケラト、角膜径、深視力、ＦＬＹ、ＢＥＴ及びＤ１５などがある。視力検査データ１００は、例えば、患者ＩＤ、検査日、左右、裸眼視力、矯正視力、球面度数、乱視度数、乱視軸方向、ピンホール、患者眼鏡、プリズム１，２、ベース１，２、Ｒ／Ｇ及び表示位置ＩＤから構成されており、患者に行われた視力検査の検査値（「左右」から「Ｒ／Ｇ」まで）が、各患者及び検査日毎に関連付けられて管理されている。すなわち、患者ＩＤと検査日を特定することで、視力検査の検査値を取得することができる。なお、表示位置ＩＤとは、電子カルテにこの視力検査データ１００を表示する際の表示位置を示す識別子であり、この表示位置ＩＤがセットされていない場合は、まだ表示位置が決定していないことを示している。表示位置ＩＤについては後述する。
【００６１】
図２（ｂ）には、新たな検査データがデータベース２２に追加されたことを表す更新フラグ１０１が例示されており、例えば、患者ＩＤ、検査日、更新フラグ、視力検査、眼圧、レフ、ケラト、角膜径、深視力、ＦＬＹ、ＢＥＴ及びＤ１５から構成されている。視力検査からＤ１５の列には、患者を検査した回数を記録する。また更新フラグはいずれかの検査項目について、対応する検査データが入力されたときに「１」にセットされる。この検査した回数及び更新フラグのセットは、データベース２２が一般的に備えているトリガー機能によって、実装することができる。
【００６２】
このことにより、新たに入力された検査データの有無を判断することが可能となる。例えば、図２の（ｂ）の患者ＩＤが「１０００」、検査日が「２００５１２０１」（２００５年１２月１日を表す。）である行のデータについては、更新フラグが「１」であることから、新たに入力された検査データがあると判断することができる。また、同じ行にあるデータの視力検査、眼圧の列の値はそれぞれ１であり、レフの列の値は２である。すなわち、視力検査及び眼圧に関する検査データが１つあり、レフに関する検査データは２つあることが示されている。
【００６３】
図２（ｃ）には、患者の電子カルテとして表示する検査データ一覧画像及び手書き画像データを管理する電子カルテ管理データ１０２が例示されており、例えば、患者ＩＤ、検査日、担当医師、検査データ一覧画像、手書き画像データ、検索キーワード、頁、版から構成されている。これにより、患者ＩＤと検査日を特定することで、検査データ一覧画像、手書き画像データ等を取得することができる。なお、頁は電子カルテが複数ページに亘る場合に、何ページ目の電子カルテかを管理するために用いられる。また、版は電子カルテの版管理をするために用いられる。頁、版の詳細については後述する。
【００６４】
図２（ｄ）には、検査データ画像及び手書き画像データが電子カルテの表示領域のどの位置に配置されているかを管理する表示位置管理データ１０３が例示されており、例えば、患者ＩＤ、検査日、画像区分及び表示位置ＩＤから構成されている。これにより、患者ＩＤと検査日を特定することで、電子カルテの表示領域の内、検査データ画像及び手書き画像データが配置された位置を示す表示位置ＩＤを取得することができる。この結果、検査データ画像を所定の位置に配置して検査データ一覧画像を作成する際に、電子カルテの表示領域の内、すでに使用されている位置に重複して検査データ画像を配置することを回避することができる。
【００６５】
図３は、検査データの入力画面を表す概略図である。この図を用いて、検査員２が患者の検査データを入力する処理について説明する。
【００６６】
検査員２は検査データ入力端末２０を用いて、ウェブサーバ２３を介して患者の検査データをデータベース２２に入力する。具体的には、検査員２は、検査データ入力端末２０でウェブブラウザを起動し、ウェブサーバ２３で入力フォーム４０の所在を示すＵＲＬにアクセスするようウェブブラウザを操作する。
【００６７】
このＵＲＬに対応して、ウェブサーバ２３は、入力フォーム４０を検査データ入力端末２０に提示する。例えば検査員２が視力検査に関する検査データを入力する場合は、入力フォーム４０は、図２（ａ）の視力検査データ１００に示したような各検査値を入力できるようにする。
【００６８】
ウェブサーバ２３は、検査員２により送信された視力検査データ１００を患者ＩＤ，検査日と関連付けてデータベース２２に格納する。この患者ＩＤは、検査員２により、入力フォーム４０を介して与えられるものである。また、検査日はウェブサーバ２３がデータベース２２に視力検査データ１００を格納する時の日付である。なお、視力検査データ１００の表示位置ＩＤについては、この時点では値を格納しない。
【００６９】
なお、データベース２２のトリガー機能により、この視力検査データ１００が追加された時は、図２（ｂ）に示す更新フラグの値が「１」に設定されると共に、視力検査の列の値が一つインクリメントされる。これらの更新フラグの値により、患者ＩＤが「１０００」、検査日が「２００５１２０１」の患者の視力検査データが追加されたことを判断することができる。
【００７０】
上述したように、検査員２は、検査データが電子カルテにどのように表示されるかを考慮する必要がないため、検査員２は検査データを入力する作業に専念することができ、円滑に検査を遂行することが可能となる。
【００７１】
図４は、電子カルテ作成プログラムの処理のフローを示す図である。この図を用いて、データベース２２に格納された検査データより、電子カルテが作成される一連の処理を説明する。
【００７２】
まず、データベース２２より患者ＩＤが「１０００」、検査日が「２００５１２０１」である更新フラグの取得処理を行い（Ｓ１）、更新フラグが１であるか否かを判断する（Ｓ２）。更新フラグが１である場合は、患者ＩＤが「１０００」、検査日が「２００５１２０１」の取得処理（Ｓ３）、検査データの画像化処理（Ｓ４）、検査データ一覧画像の作成処理（Ｓ５）、図形画像の入力処理（Ｓ６）、電子カルテの表示処理（Ｓ７）を行う。更新フラグが１でない場合は、Ｓ２の次にＳ６の処理を行う。また、プログラムの終了が選択されたか否かを判断し（Ｓ８）、この結果に基づいて電子カルテの作成を終了する。
【００７３】
以下に各処理について詳細に説明する。
【００７４】
最初に、検査データ取得手段３２が主体となって、電子カルテの作成対象となる検査データの取得処理（Ｓ１〜Ｓ３）を行う。
【００７５】
この更新フラグの取得処理（Ｓ１）は、眼科医３により与えられる、患者ＩＤが「１０００」、検査日が「２００５１２０１」を検索キーとして、検査データをデータベース２２より取得する。
【００７６】
この結果、図２（ｂ）に示す患者ＩＤが「１０００」である行の更新フラグ１０１を取得することができる。このレコードの更新フラグを判断することで、検査データの画像化処理を行うか否かを判断する（Ｓ２）。この場合、更新フラグが１であるので、視力検査、眼圧及びレフに関する検査データを取得する（Ｓ３）。したがって、例えば図２（ａ）にある患者ＩＤ「１０００」の視力検査データ１００を取得することとなる。
【００７７】
一方、更新フラグが１でない場合は、検査データに変更がないことが判断できるため、このＳ３〜Ｓ５の処理を割愛してＳ６の手書き画像データの入力処理に移行する。
【００７８】
次に、検査データを画像化する処理について説明する（Ｓ４）。ここでは、患者ＩＤが「１０００」の検査データの内、視力検査に関する検査データを例に、画像化処理について説明する。
【００７９】
まず、患者ＩＤが「１０００」のレコードの各検査値を取得し、所定の書式を適用する。ここで所定の書式とは検査項目毎に定義された検査データの表示方法を指定する情報である。この所定の書式を適用することにより、検査値のみの検査データを慣習的に用いられている表記で電子カルテに表示することが可能となる。例えば、視力検査については
ＲＶ＝％ｆ（％ｆ      ％ｆ  ×  Ｓ  ％ｆ      Ｄ：Ｃｙｌ  ％ｆＤ  Ａ×  ％ｆ）
という書式が定義されている。％ｆは、その個所を検査データの検査値で置き換えるための場所を示している。従って、図２（ａ）にある患者ＩＤが「１０００」の検査データの各検査値にこの書式を適用すると
ＲＶ＝０．５（１．５０  ｐ  ×  Ｓ  −４．２５Ｄ：Ｃｙｌ  ０Ｄ  Ａ×  ０°）
のような文字列が生成される。
【００８０】
図５は、検査データを画像化した検査データ画像を例示する図である。所定の書式を適用した文字列を電子カルテ作成コンピュータ３０の表示装置に表示可能な所定の大きさに画像化する。具体的には、Ｗｉｎｄｏｗｓ（登録商標）で一般的に利用可能な描画用ＡＰＩであるＧＤＩのＴｅｘｔＯｕｔ関数等を用いて行う。また、所定の書式の他の態様として、検査データを画像化する際に用いるフォント、文字色又は背景色を予め検査項目毎に定義してもよい。これらの定義に従ってＴｅｘｔＯｕｔ関数等を用いることで、検査項目毎に異なる表示の態様で検査データを画像化することができる。
【００８１】
また、検査データ画像の大きさは、ここでは、例えば７０×１４０のピクセルの大きさの領域を基本領域として、その基本領域を複数用いて画像化する。例えば、視力検査に関する検査データを画像化する際には、この基本領域を横に二つ並べる。この結果、図５（ａ）に示すように７０×２８０ピクセルの領域に、視力検査に関する検査データが画像化された検査データ画像２００が作成される。
【００８２】
この基本領域をいくつ用いるかは、検査項目毎に定義されている。例えば、眼圧に関しては、基本領域を一つ（図５（ｂ）の検査データ画像２０１）用いる。他に、ケラトについては、基本領域を縦に二つ（図５（ｂ）の検査データ画像２０２）、ＢＥＴについては基本領域を縦に３つ、横に二つ（図５（ｂ）の検査データ画像２０３）のように、各検査項目の検査値の数や表記方法に応じて、定義されている。
【００８３】
また、このような文字を主体とした表現に限定されず、図５（ｂ）の検査データ画像２０３に示すように、検査データを基にグラフを描画してもよい。この場合もＧＤＩのＬｉｎｅＴｏやＭｏｖｅＴｏ関数を用いて矩形や直線を描くことでグラフを描画する。
【００８４】
次に、検査データ一覧画像の作成処理について説明する（Ｓ４）。この処理では、検査データ画像を所定の位置に配置して、検査データ一覧画像を作成する。所定の位置に配置するにあたり、電子カルテの表示領域のどの部分に検査データ画像が配置されたかを示す表示位置管理データを用いる。
【００８５】
図６は、電子カルテの表示領域と表示管理テーブルとの関係を示す図である。図示するように、電子カルテの表示領域５０は電子カルテ作成コンピュータ３０の出力装置３８に表示される。さらに、この表示領域は６４個の矩形領域に格子状に区分されており、この一つの矩形領域にはそれぞれ１〜６４の表示位置ＩＤが対応している。なお、この一つの矩形領域は７０×１４０のピクセルの大きさである。
【００８６】
図２（ｄ）の表示位置管理データ１０３は、これらの矩形領域の内、どの表示位置ＩＤに検査データ画像が配置されているかを示している。この例では、患者ＩＤが「１０００」、検査日が「２００５１２０１」の検査データ画像は、表示位置ＩＤ１，２，３，６，７，９，１０の位置に配置されていることが示されている。すなわち、この表示位置管理データ１０３を参照することで、電子カルテ上のどの位置に検査データ画像が配置されているかが判断できるため、新たに配置しようとする検査データ画像を他の検査データ画像と重複することなく配置することが可能となる。
【００８７】
図７−１、図７−２は、検査データ画像を配置する処理を逐次表した図である。この図を用いて、この表示位置管理データ１０３を参照して検査データ一覧画像を作成する過程を説明する。なお、図７−１、図７−２の破線に囲まれた部分は矩形領域を現し、丸数字はその表示位置ＩＤを示している。
【００８８】
患者ＩＤが「１０００」、検査日が「２００５１２０１」については、眼圧は１つ（７０×１４０）、レフは二つ（各々１４０×１４０）、視力は１つ（７０×２８０）の検査データ画像を配置する処理は次のとおりである。
【００８９】
図７−１（ａ）に示すように、表示位置管理データ１０３には、まだ検査データ画像が配置されていないため、眼圧に関する検査データの検査データ画像２０４を表示位置ＩＤ「１」に配置する。また、この時、表示位置管理データ１０３を次の表１のように更新する。
【００９０】
【表１】
2007213555.tif 000003
【００９１】
これにより、電子カルテの表示領域の矩形領域１番が使用中であるということが判別できる。
【００９２】
次に、一方のレフに関する検査データの検査データ画像２０５を配置する位置を決定する。検査データ画像２０５の大きさは１４０×１４０、すなわち矩形領域を縦に二つ並べた分の大きさである。従って、電子カルテの表示領域の内、縦に二つ分の空きがある箇所を探すこととなる。
【００９３】
表１に示した表示位置管理データ１０３を参照すると、表示位置ＩＤ「１」が使用中であるため、次に表示位置ＩＤ「２」が表示位置管理データ１０３に記録されているか否かをチェックする。この結果、表示位置ＩＤ「２」はまだ記録されていないため、表示位置ＩＤ「２」の下にある矩形領域の表示位置ＩＤである「６」が表示位置管理データ１０３に記録されているかをチェックする。この結果、表示位置ＩＤ「２，６」が未使用であるので、図７−１（ｂ）に示すように検査データ画像２０５を配置する。
【００９４】
また、この時、表示位置管理データ１０３を次の表２のように更新する。
【００９５】
【表２】
2007213555.tif 000004
【００９６】
同様に、他方のレフに関する検査データの検査データ画像２０６を配置する位置を決定する。検査データ画像２０６の大きさは１４０×１４０、すなわち矩形領域を縦に二つ並べた分の大きさである。従って、電子カルテの表示領域の内、縦に二つ分の空きがある箇所を探すこととなる。
【００９７】
表２に示した表示位置管理データ１０３を参照すると、表示位置ＩＤ「１、２」が使用中であるため、次に表示位置ＩＤ「３」が表示位置管理データ１０３に記録されているか否かをチェックする。この結果、表示位置ＩＤ「３」はまだ記録されていないため、表示位置ＩＤ「３」の下にある矩形領域の表示位置ＩＤである「７」が表示位置管理データ１０３に記録されているかをチェックする。この結果、表示位置ＩＤ「３，７」が未使用であるので、図７−１（ｃ）に示すように検査データ画像２０６を配置する。
【００９８】
また、この時、表示位置管理データ１０３を次の表３のように更新する。
【００９９】
【表３】
2007213555.tif 000005
【０１００】
同様に、視力に関する検査データの検査データ画像２０７を配置する位置を決定する。検査データ画像２０７の大きさは７０×２８０、すなわち矩形領域を横に二つ並べた分の大きさである。従って、電子カルテの表示領域の内、横に二つ分の空きがある箇所を探すこととなる。
【０１０１】
表３に示した表示位置管理データ１０３を参照すると、表示位置ＩＤ「１、２、３、６，７」が使用中であり、表示位置ＩＤ「４、５、８」が未使用であるが、この検査データ画像２０７は横に２つ分の空きが必要であるため、表示位置ＩＤ「４，５，８」は利用できず、この結果、表示位置ＩＤ「９、１０」が未使用であり、且つ検査データ画像２０７を配置できることが判断できる。したがって、図７−２（ｄ）に示すように検査データ画像２０７を配置する。
【０１０２】
また、この時、表示位置管理データ１０３を次の表４のように更新する。
【０１０３】
【表４】
2007213555.tif 000006
【０１０４】
上述のように、すべての検査データ画像について配置する位置を決定した結果、図８に示す検査データ一覧画像６０が作成されることとなる。
【０１０５】
このように、検査データ画像が自動的に配置されることで、検査データが統一的に表示されるため、眼科医３にとって見易い電子カルテの画面を提供することが可能となる。また、検査員２にとっては、検査データの表示を考慮して検査データを入力する必要がなくなるため、検査データの入力作業に専念することができる。
【０１０６】
上述の処理により作成された検査データ一覧画像を患者ＩＤ及び検査日に関連付けて電子カルテ管理データ１０２に保存する。
【０１０７】
保存された検査データ一覧画像は、次に同一の患者ＩＤと検査日の電子カルテの参照があった時に、その患者の検査データが更新されていない場合に限り、後述する表示処理の処理対象に用いられる。すなわち、電子カルテの作成の要求があった場合は、この作成済みの検査データ一覧画像を用いるため、データの取得処理や画像化処理を省略することが可能となり、速やかに眼科医３に電子カルテを表示することが可能となると共に、データベース２２や電子カルテ作成コンピュータ３０の処理負荷を軽減することが可能となる。
【０１０８】
なお、検査データ画像を配置する処理の際に、最初に検査データ画像を配置した表示領域が不足した場合は、新たに６４個の矩形領域からなる表示領域を別途設け、この表示領域に検査データ画像を配置する。この時、最初に検査データ画像を配置して作成した検査データ一覧画像を「１」頁、新たな表示領域に検査データ画像を配置して作成した検査データ一覧画像を「２」頁として、表５に示すようにそれぞれ検査データ一覧画像を保存する（例えばＰＮＧ形式などの所定のファイルフォーマットで保存する。）。
【０１０９】
【表５】
2007213555.tif 000007
【０１１０】
表５は、患者ＩＤ「１０００」、検査日「２００５１２０１」で特定される電子カルテ管理データ１０２の一部を抜粋したものである。表５に示すように、特定された電子カルテ管理データ１０２は検査データ一覧画像が２つあることを示している（ＰＮＧ形式画像データＢ，Ｂ’）。これにより、検査データの数が多く、６４個の矩形領域に配置しきれない場合でも、別頁として検査データ一覧画像を保存することで、多数の検査データを画像化して保存することが可能となる。
【０１１１】
次に手書き画像データの入力処理（Ｓ６）の説明をする。
【０１１２】
図９は手書き画像データの入力処理を示すフローである。まず、検査データ一覧画像を下絵として、電子カルテ作成コンピュータ３０の入力装置を介して手書き画像データを取得、表示及び保存処理を行う（Ｓ１０）。これにより、眼科医３は検査員２により入力された検査データを一覧することが可能となる。また、この検査データ一覧画像を下絵として、患者を診療した際の所見等を追加することが可能となる。
【０１１３】
例えば、眼科医３がシェーマを入力する場合は、手書き画像データである自由曲線を描くことでシェーマの入力を実現することができる。自由曲線を入力する際には、マウスを最初にクリックした点から次にクリックした点までの間にポインタが通過した軌跡の座標を取得し、それらの座標を所定の色で描画することで自由曲線を入力する。
【０１１４】
この自由曲線は画面に表示可能なＰＮＧ形式の画像データとして患者ＩＤ及び検査日に関連付けて電子カルテ管理データ１０２に保存する。この画像データの大きさは、電子カルテの表示領域５０と同一の大きさにする。
【０１１５】
なお、キーボードを介して文字情報の取得を行い、当該文字情報を画像化したデータを手書き画像データとしてもよい。マウス操作による自由曲線で文字を描くことが困難である場合に有用である。また、定型的に入力する頻度が高い文言については、そのような文言の文字情報を予め定型句として登録しておき、マウスの操作で入力する定型句を選択できるようにし、選択された定型句を画像化して手書き画像データとしてもよい。さらに、この文字情報を画像化すると共に、文字情報そのものを電子カルテ管理データ１０２の検索キーワードとして保存してもよい。これにより、眼科医３が所見として入力した文字情報が、画像として電子カルテに表示される一方、その所見として入力された文字情報を検索対象として電子カルテを検索することが可能となる。
【０１１６】
次に、取得した手書き画像データが下絵の検査データ一覧画像のどの部分に対応するかに応じて、表示位置管理データ１０３を更新する（Ｓ１１）。
【０１１７】
図１０は、検査データ一覧画像を下絵として入力された手書き画像データと電子カルテの表示領域との関係を示す図である。図示するように、手書き画像データである自由曲線７０が電子カルテの表示領域５０の内、表示位置ＩＤが１，２，５，６，９，１０である矩形領域に描かれたことを示している。
【０１１８】
このような手書き画像データが入力された場合は、表示管理テーブルの表示位置管理データ１０３を更新する。例えば、患者ＩＤを「１０００」、検査日を「２００５１２０１」として、画像区分に「手書きデータ画像」、表示位置ＩＤに１，２，５，６，９，１０とする。この結果、表示位置管理データ１０３は表６のように更新される。
【０１１９】
【表６】
2007213555.tif 000008
【０１２０】
この処理を行うことにより、検査データ画像配置手段３４が検査データ一覧画像を作成する際に（Ｓ５）、手書き画像データの描かれた位置を把握できるため、手書き画像データを避けて検査データ画像の配置を行うことが可能となる。
【０１２１】
また、手書き画像データをＰＮＧ形式などの画像ファイルに変換して電子カルテ管理データ１０２に保存する。この保存に際しては、眼科医３により手書き画像データが入力される毎に、別の画像ファイルとして電子カルテ管理データ１０２に保存してもよい。これによって、手書き画像データの履歴を残すことが可能となる。この時、最初に入力した手書き画像データを「１」版、次に入力した手書き画像データを「２」版として、表７に示すようにそれぞれ手書き画像データの画像ファイルを保存する。
【０１２２】
【表７】
2007213555.tif 000009
【０１２３】
表７は、患者ＩＤ「１０００」、検査日「２００５１２０１」で特定される電子カルテ管理データ１０２の一部を抜粋したものである。表７に示すように、特定された電子カルテ管理データ１０２は手書き画像データが２つあることを示している（ＰＮＧ形式画像データＢ，Ｂ’）。すなわち、眼科医３により手書き画像データが入力される毎に、手書き画像データが画像ファイルとして保存される。これにより、眼科医３は、これらの手書き画像データにより表される所見等の情報が追加・編集等されていく過程を確認できるため、患者の状態の変化をより適切に把握することが可能となる。
【０１２４】
以上に述べたように、Ｓ１０、Ｓ１１の処理を行うことで、眼科医３は検査データ一覧画像を下絵としながら、手書き画像データを入力することが可能となる。
【０１２５】
次に、電子カルテの表示処理について説明する（Ｓ７）。この表示処理では、電子カルテ管理データ１０２に保存された検査データ一覧画像及び手書き画像データを取得して、これらの画像を重ね合せて電子カルテを作成し、電子カルテ作成コンピュータ３０の表示装置に表示する。
【０１２６】
まず、患者ＩＤ「１０００」、検査日「２００５１２０１」である電子カルテ管理データ１０２をデータベース２２より取得する。この結果、ＰＮＧ形式の画像データとして保存されている検査データ一覧画像及び手書き画像データを取得することができる。
【０１２７】
図１１は、検査データ一覧画像及び手書き画像データとこれらの画像を重ね合わせた電子カルテを例示する図である。
【０１２８】
重ね合わせる際には、検査データ一覧画像６０を下絵として、手書き画像データ６１を重ね合わせる。具体的には、手書き画像データ６１にマスク処理を施し、各々の画像のＸ座標、Ｙ座標の原点位置（０，０）を一致させ、ＢｉｔＢｌｔ関数等のビットマップをコピーする関数を用いて重ね合せ、電子カルテ画像６２を作成する。
【０１２９】
なお、手書き画像データは、下絵に検査データが表示されているか否かに関わらず、任意の位置に入力することが可能であるため、例えば手書き画像データとして自由曲線を入力した結果、検査データ一覧画像が上書きされて、どのような検査データが表示されているかが視認できなくなる場合がある。
【０１３０】
このような場合、所定の画像処理として公知技術であるＢｉ−Ｌｉｎｅａｒ法を用いることで、検査データが視認できるよう電子カルテ画像を作成できる。図１２はこのＢｉ−Ｌｉｎｅａｒ法を用いる前後における、手書き画像データと検査データ一覧画像の重ね合わせのイメージを例示する図である。図１２（ａ）は検査データ画像一覧の検査データ画像２０８に手書き画像データとして自由曲線７０が入力された図を表している。図１２（ａ）に示すように、検査データ画像２０８に自由曲線７０が重なって表示されている箇所は、検査データ画像２０８を視認することができない。
【０１３１】
かかる場合、検査データ画像２０８にＢｉ−Ｌｉｎｅａｒ法を適用して画像処理を行い、かかる画像処理を行った検査データ画像２０８を自由曲線７０に重ね合わせて、表示装置に表示する。図１２（ｂ）は検査データ画像２０８にＢｉ−Ｌｉｎｅａｒ法を適用した上で自由曲線７０と重ねあわせた結果を表している。図示するように、Ｂｉ−Ｌｉｎｅａｅｒ法を適用した結果、自由曲線７０が重なった場合においても、検査データ画像２０８を視認することが可能となる。
【０１３２】
図１３は、電子カルテの表示、編集画面を例示する図である。眼科医３は患者ＩＤを指定すると共に、検査日選択メニュー９０より任意の検査日を指定することで、電子カルテの表示領域５０には、検査データ画像２０９〜２１２を配置した検査データ一覧画像が表示される。
【０１３３】
眼科医３は、この画面を参照しながら、必要に応じて所見等を入力する。所見等の入力に当たっては、手書き画像データメニュー９１にある直線、曲線、矩形等を入力するためのモードに切り替えるボタンを選択した上で、例えば自由曲線を描いて所見データ９２のような手書き画像データを電子カルテに追加する。
【０１３４】
なお、データベース２２に保存された検査データ一覧画像及び手書き画像より作成される電子カルテは、眼科医３が用いる電子カルテ作成コンピュータ３０で表示されるものに限定されない。例えば、検査員２が入力した検査データを確認するために、検査データ入力端末２０で電子カルテを参照できるよう構成してもよい。
【０１３５】
以上に説明したように、本実施形態では、検査データが所定の位置に配置されて電子カルテとして表示されるため、検査員２は検査データの入力に専念することが可能となると共に、眼科医３はその検査データを一覧して、所見等を追加することが可能となる。
【０１３６】
＜実施形態２＞
実施形態１では、手書き画像データ６１が誰によって入力されたかを記録していなかった。本実施形態では、手書き画像データ６１とその入力者を記録する場合に関して説明する。なお、実施形態１に係る電子カルテ作成システム１と同一のものには同一の符号を付し、重複する説明は省略する。
【０１３７】
まず、データベース２２には、電子カルテ作成システム１を使用する者に関する記入者情報を格納しておく。ここで、記入者情報とは、少なくとも電子カルテ作成システム１を利用する者の氏名、その者を特定する記入者識別子を含むものである。また、電子カルテ作成システム１の使用者がそれを使用するに際し、どの記入者識別子を有する者であるかを特定しておく。例えば、電子カルテ作成プログラム３１に、当該使用者に対して記入者識別子を入力させる機能を設けることで、記入者識別子を得るようにする。
【０１３８】
手書き画像データ入力手段３５は、手書き画像データ６１を取得してこれを描画する際に、例えば手書き画像データを入力した者により指定された所定の色を表す色情報に記入者識別子を埋め込んで描画色情報を算出し、その描画色情報に基づいて手書き画像データ６１をディスプレイに表示する。
【０１３９】
また、上述したような描画色情報で描画された手書き画像データ６１がディスプレイに表示されているときに、この手書き画像データ６１上にマウスポインタが重なった場合、その描画色情報に埋め込まれた記入者識別子を抽出すると共にこの記入者識別子に対応する記入者情報を例えばマウスポインタ近傍に表示してもよい。
【０１４０】
以下、具体的に記入者識別子を手書き画像データ６１の色情報に埋め込む処理について説明する。図１４は、描画色情報で手書き画像データを描画する処理のフローを示す図である。
【０１４１】
まず、電子カルテ作成コンピュータ３０を用いて電子カルテの作成、閲覧等を行う者に関する記入者識別子の取得を行う（Ｓ２０）。これは、例えば電子カルテ作成コンピュータ３０に接続されたキーボード等の入力手段を介して行う。
【０１４２】
次に、色情報の取得を行う（Ｓ２１）。これは、例えば、電子カルテ作成コンピュータ３０の画面上に複数の色の見本を提示し、マウスポインタで指示された見本を色情報として取得する。本実施形態では、手書き画像データ６１を入力した者により指定された色情報は、赤（Ｒ）成分は８ビット、緑（Ｇ）成分は８ビット、青（Ｂ）成分は８ビットの合計２４ビットから構成されている。いわゆるＲＧＢ形式である。
【０１４３】
上述のように取得した記入者識別子と色情報とに基づいて、手書き画像データ６１の描画に用いる実際の色情報（以下、これを「描画色情報」と称する。）の算出を行う（Ｓ２２）。本実施形態では、記入者識別子は９ビットで表現する。この場合、記入者識別子を３ビットごとの３つの部分に分け、それぞれを色情報の各色成分の下位３ビットとする。以下、色情報としてＡｑｕａ（水色）が選択され、記入者識別子として「１０２」が入力された場合を例にとり詳細に説明する。
【０１４４】
なお、明細書中では、ｄ９ｄ８ｄ７ｄ６ｄ５ｄ４ｄ３ｄ２ｄ１(2)は記入者識別子を二進数で表記したものであり、ｄｉ｛０，１｜ｉ＝１〜９｝は第ｉビット目が１又は０であることを表している。同様に、ｒ８ｒ７ｒ６ｒ５ｒ４ｒ３ｒ２ｒ１(2)（ｒｋ｛０，１｜ｋ＝１〜８｝）は色情報の赤成分を、ｇ８ｇ７ｇ６ｇ５ｇ４ｇ３ｇ２ｇ１(2)（ｇｋ｛０，１｜ｋ＝１〜８｝）は緑成分を、ｂ８ｂ７ｂ６ｂ５ｂ４ｂ３ｂ２ｂ１(2)（ｂｋ｛０，１｜ｋ＝１〜８｝）は青成分を表している。
【０１４５】
まず、記入者識別情報と所定のビット列との論理積（ＡＮＤ演算）を算出する（下記式中、「＆」は左辺の値と右辺の値とのビット毎の論理積を算出する演算子である。）。
（１）Ｄ１＝ｄ９ｄ８ｄ７ｄ６ｄ５ｄ４ｄ３ｄ２ｄ１(2)  ＆  ００００００１１１(2)
＝００００００ｄ３ｄ２ｄ１(2)
（２）Ｄ２＝ｄ９ｄ８ｄ７ｄ６ｄ５ｄ４ｄ３ｄ２ｄ１(2)  ＆  ０００１１１０００(2)
＝０００ｄ６ｄ５ｄ４０００(2)
（３）Ｄ３＝ｄ９ｄ８ｄ７ｄ６ｄ５ｄ４ｄ３ｄ２ｄ１(2)  ＆  １１１００００００(2)
＝ｄ９ｄ８ｄ７００００００(2)
そして、上記（２）のＤ２を右に３ビット論理シフト、（３）のＤ３を右に６ビット論理シフトする。これを（２’）及び（３’）に示す（下記式中、「＞＞」は左辺の値を右辺にある数だけ、右へ論理シフトする演算子である。）。
（２’）Ｇｙ  ＝  Ｄ２  ＞＞  ３  ＝  ００００００ｄ６ｄ５ｄ４(2)
（３’）Ｂｙ  ＝  Ｄ３  ＞＞  ６  ＝  ００００００ｄ９ｄ８ｄ７(2)
記入者識別情報が「１０２（十進数）」であるならば、その二進数表現は００１１００１１０(2)となり、Ｒｙ（＝Ｄ１）、Ｇｙ、Ｂｙはそれぞれ００００００１１０(2)、００００００１００(2)、００００００００１(2)となる。
【０１４６】
一方、色情報の赤・緑・青成分について、下位３ビットを０にする。
（４）Ｒｉ  ＝  ｒ８ｒ７ｒ６ｒ５ｒ４ｒ３ｒ２ｒ１(2)  ＆  １１１１１０００(2)
＝  ｒ８ｒ７ｒ６ｒ５ｒ４０００(2)
（５）Ｇｉ  ＝  ｇ８ｇ７ｇ６ｇ５ｇ４ｇ３ｇ２ｇ１(2)  ＆  １１１１１０００(2)
＝  ｇ８ｇ７ｇ６ｇ５ｇ４０００(2)
（６）Ｂｉ  ＝  ｂ８ｂ７ｂ６ｂ５ｂ４ｂ３ｂ２ｂ１(2)  ＆  １１１１１０００(2)
＝  ｂ８ｂ７ｂ６ｂ５ｂ４０００(2)
色情報が水色の場合、水色の赤成分は００００００００(2)、緑成分は１１１１１１１１(2)、青成分は１１１１１１１１(2)であるから、Ｒｉ、Ｇｉ、Ｂｉはそれぞれ００００００００(2)、緑成分は１１１１１０００(2)、青成分は１１１１１０００(2)となる。
【０１４７】
そして、ＲｙとＲｉ、ＧｙとＧｉ、ＢｙとＢｉについてそれぞれビットごとの論理和（ＯＲ演算）を算出する。これを（７）、（８）、（９）に示す（下記式中、「＋」は左辺の値と右辺の値とのビット毎の論理和を算出する演算子である。）。
（７）Ｒｏ＝Ｒｙ＋Ｒｉ＝  ０００００ｄ３ｄ２ｄ１(2)  ＋  ｒ８ｒ７ｒ６ｒ５ｒ４０００(2)
＝  ｒ８ｒ７ｒ６ｒ５ｒ４ｄ３ｄ２ｄ１(2)
（８）Ｇｏ＝Ｇｙ＋Ｇｉ＝  ０００００ｄ６ｄ５ｄ４(2)  ＋  ｇ８ｇ７ｇ６ｇ５ｇ４０００(2)
＝  ｇ８ｇ７ｇ６ｇ５ｇ４ｄ６ｄ５ｄ４(2)
（９）Ｂｏ＝Ｂｙ＋Ｂｉ＝  ０００００ｄ９ｄ８ｄ７(2)  ＋  ｂ８ｂ７ｂ６ｂ５ｂ４０００(2)
＝  ｂ８ｂ７ｂ６ｂ５ｂ４ｄ９ｄ８ｄ７(2)
これにより、色情報（水色）に記入者識別情報（１０２）を埋め込んで算出される描画色情報は、赤成分が０００００１１０(2)、緑成分が１１１１１１００(2)、青成分が１１１１１００１(2)となる。
【０１４８】
上述のようにして算出したＲｏ、Ｇｏ、Ｂｏからなる描画色情報で、手書き画像データをディスプレイに描画する（Ｓ２３）。また、この手書き画像データをデータベース２２に、ＰＮＧ形式など所定の形式で保存する。
【０１４９】
一方、上述のように算出した描画色情報で描画された手書き画像データ６１から記入者識別子を取り出すには次のような演算を行う。図１５は、描画色情報から記入者識別子を抽出してこの記入者識別子に関する記入者情報を表示する処理のフローを示す図である。
【０１５０】
実施形態１で説明したように、検査データ一覧画像と手書き画像データとが電子カルテ作成コンピュータ３０のディスプレイ上に表示されている際に、マウスポインタが手書き画像データに重なる位置に移動したときの座標を取得し、当該座標に対応する色の取得を行う（Ｓ３０）。そして、この取得した色の赤（Ｒｏ）・緑（Ｇｏ）・青（Ｂｏ）成分のそれぞれと、下位３ビットを抽出する所定のビット列とのビット毎の論理積を算出する。これを（１０）、（１１）、（１２）に示す。
（１０）Ｒｉ＝Ｒｏ＆０００００１１１(2)
＝  ｒ８ｒ７ｒ６ｒ５ｒ４ｄ３ｄ２ｄ１(2)  ＆  ０００００１１１(2)
＝  ０００００ｄ３ｄ２ｄ１(2)
（１１）Ｇｉ＝Ｇｏ＆０００００１１１(2)
＝  ｇ８ｇ７ｇ６ｇ５ｇ４ｄ６ｄ５ｄ４(2)  ＆  ０００００１１１(2)
＝  ０００００ｄ６ｄ５ｄ４(2)
（１２）Ｂｉ＝Ｂｏ＆０００００１１１(2)
＝  ｂ８ｂ７ｂ６ｂ５ｂ４ｄ９ｄ８ｄ７(2)  ＆  ０００００１１１(2)
＝  ０００００ｄ９ｄ８ｄ７(2)
例えば、取得した色の赤成分が０００００１１０(2)、緑成分が１１１１１１００(2)、青成分が１１１１１００１(2)であるならば、Ｒｉは０００００１１０(2)、Ｇｉは０００００１００(2)、Ｂｉは０００００００１(2)となる。
【０１５１】
そして、上記（１１）のＧｉを左に３ビット論理シフト、（１２）のＢｉを左に６ビット論理シフトする。これを（１１’）及び（１２’）に示す（下記式中、「＜＜」は左辺の値を右辺にある数だけ、左へ論理シフトする演算子を示している）。
（１１’）Ｇｙ  ＝  Ｇｉ  ＜＜  ３  ＝  ０００ｄ６ｄ５ｄ４０００(2)
（１２’）Ｂｙ  ＝  Ｂｉ  ＜＜  ６  ＝  ｄ９ｄ８ｄ７００００００(2)
上述のようにして算出した３つのＲｙ（＝Ｒｉ）、Ｇｙ、Ｂｙの論理和を算出して記入者識別子の取得を行う（Ｓ３１）。これを（１３）に示す。
（１３）Ｄ＝Ｒｙ＋Ｇｙ＋Ｂｙ＝００００００ｄ３ｄ２ｄ１(2)
＋０００ｄ６ｄ５ｄ４０００(2)
＋ｄ９ｄ８ｄ７００００００(2)
＝ｄ９ｄ８ｄ７ｄ６ｄ５ｄ４ｄ３ｄ２ｄ１(2)
上述の例の場合、記入者識別子として００１１００１１０(2)（十進数の１０２）を得ることができる。
【０１５２】
次に、データベース２２から、上述のように抽出した記入者識別子に該当する記入者情報の取得を行う（Ｓ３２）。例えば、表８に示すように、データベース２２に電子カルテ作成システム１を使用する者として、２人分（例えば医師）の記入者情報が登録されているとする。
【０１５３】
【表８】
2007213555.tif 000010
【０１５４】
このような複数の記入者情報のうち、記入者識別子が１０２である一つの記入者情報を抽出する。この結果、表８の例では、氏名が「Ｂ川  Ｂ子」である記入者情報が抽出される。この記入者情報に基づいて、マウスポインタの近傍に記入者の名前の表示を行う（Ｓ３３）。
【０１５５】
図１６に、手書き画像データと記入者の名前が表示されたイメージを示す。図示するように、手書き画像データ３００の近傍には記入者の氏名３０１が表示されている。これにより、手書き画像データ３００を記入した者が誰であるのかが一目瞭然となる。このような記入者の氏名の表示は、一人の患者に関する電子カルテに対して複数の医者が検診した所見等を手書き画像データとして入力する場合に特に有用である。
【０１５６】
また、手書き画像データは、それを記入した者に関する記入者識別子を含む描画色情報でディスプレイに表示されたり、ＰＮＧ形式などのファイルとして保存される。すなわち、手書き画像データと記入者識別子とが一体となっている。これにより、手書き画像データとその記入者との対応関係を管理することが容易となっている。
【０１５７】
上記対応関係を別の形態で管理するならば、例えば、手書き画像データをディスプレイに表示した際における手書き画像データの各点の座標とその記入者との対応関係をデータベースなどに保存する形態が考えられる。しかしながら、このような形態では、例えば手書き画像データを削除したり、編集した場合、その都度データベース上の対応関係も更新しなければならない。また、ディスプレイの解像度の変更などの理由により、手書き画像データが表示される座標が必ずしも一定とは限らない。この結果、データベース上に管理されている手書き画像データの座標と、実際に手書き画像データが表示されている座標との間に相違が生じ、適切な対応関係が維持されないという問題がある。本実施形態で説明したような手書き画像データとその記入者との対応関係は上述したように一体的になっているため、このような問題は生じないという利点がある。
【０１５８】
なお、本実施形態においては、記入者識別子を表現するのに９ビットとしたが、これに限定されない。少なくとも、記入者識別子が埋め込まれる色情報のビット長よりも短い必要があるが、色情報により表示されるディスプレイ上に表示される色と、描画色情報により表示される色とが人目から見てそれほど変化を感じない程度になるよう記入者識別子のビット長を選択すればよい。また色情報等を表現する形式としてＲＧＢ形式を用いたが、これに限定されず、例えばＣＭＹＫ形式を用いる場合でも本発明を適用できる。手書き画像データを描画する際に用いる色情報の一部に記入者識別情報を埋め込めることができればよいからである。
【産業上の利用可能性】
【０１５９】
本発明は、患者のカルテを電子化して管理する医療機関などで利用することができる。
【図面の簡単な説明】
【０１６０】
【図１】本発明の実施形態に係る電子カルテ作成プログラムをインストールしたコンピュータを備える電子カルテ作成システムの機能ブロック図である。
【図２】データベースに格納される各種データを例示する図である。
【図３】検査データの入力画面を表す概略図である。
【図４】電子カルテ作成プログラムの処理のフローを示す図である。
【図５】検査データを画像化した検査データ画像を例示する図である。
【図６】電子カルテの表示領域と表示管理テーブルとの関係を示す図である。
【図７−１】検査データ画像を配置する処理を逐次表した図である。
【図７−２】検査データ画像を配置する処理を逐次表した図である。
【図８】検査データ一覧画像を例示する図である。
【図９】手書き画像データの入力処理を示すフローである。
【図１０】検査データ一覧画像を下絵として入力された手書き画像データと電子カルテの表示領域との関係を示す図である。
【図１１】検査データ一覧画像及び手書き画像データとこれらの画像を重ね合わせた電子カルテを例示する図である。
【図１２】Ｂｉ−Ｌｉｎｅａｒ法を用いる前後における、手書き画像データと検査データ一覧画像の重ね合わせのイメージを例示する図である。
【図１３】電子カルテの表示、編集画面を例示する図である。
【図１４】描画色情報で手書き画像データを描画する処理のフローを示す図である。
【図１５】描画色情報から記入者識別子を抽出してこの記入者識別子に関する記入者情報を表示する処理のフローを示す図である。
【図１６】手書き画像データと記入者の名前が表示されたイメージである。
【符号の説明】
【０１６１】
１  電子カルテ作成システム
２  検査員
３  眼科医
２０  検査データ入力端末
２１  検査機器
２２  データベース
２３  ウェブサーバ
２４  ＬＡＮ
３０  電子カルテ作成コンピュータ
３１  電子カルテ作成プログラム
３２  検査データ取得手段
３３  検査データ画像化手段
３４  検査データ画像配置手段
３５  手書き画像データ入力手段
３６  表示手段
３８  出力装置
４０  入力フォーム
５０  電子カルテの表示領域
６０  検査データ一覧画像
７０  自由曲線
９０  検査日選択メニュー
９１  手書き画像データメニュー
９２  所見データ
１００  検査データ
１０１  更新フラグ
１０２  電子カルテ管理データ
１０３  表示位置管理データ
２００〜２１２  検査データ画像
【図１】
2007213555.tif 000011
【図２】
2007213555.tif 000012
【図３】
2007213555.tif 000013
【図４】
2007213555.tif 000014
【図５】
2007213555.tif 000015
【図６】
2007213555.tif 000016
【図７−１】
2007213555.tif 000017
【図７−２】
2007213555.tif 000018
【図８】
2007213555.tif 000019
【図９】
2007213555.tif 000020
【図１０】
2007213555.tif 000021
【図１１】
2007213555.tif 000022
【図１２】
2007213555.tif 000023
【図１３】
2007213555.tif 000024
【図１４】
2007213555.tif 000025
【図１５】
2007213555.tif 000026
【図１６】
2007213555.tif 000027